(57)【要約】【課題】電気コネクタの提供。【解決手段】絶縁本体と金属ハウジング及びフレキシブルフラットケーブルを備え、該絶縁本体は、基部と該基部の対向する両側に設置される二つの側部とを含み、該基部の先端に、当接部が設けられ、該当接部に、複数のグルーブが設けられ、該金属ハウジングが、該絶縁本体の上方に嵌設され、該フレキシブルフラットケーブルが、該絶縁本体と該金属ハウジングの間に挟み込まれ、該フレキシブルフラットケーブルの中段に、複数の露出した金属導線が設けられ、それらの金属導線が、該当接部対応のグルーブ内に位置し、また、各金属導線の両端に、それぞれ、接触部が形成され、該フレキシブルフラットケーブルが折り返されることにより、該二つの接触部が、それぞれ、該当接部の対向する両側に設置され、これにより、フレキシブルフラットケーブルの露出した金属導線を、電気的に接続される媒介とし、当接連接器と電気的に接続されるようになる。【選択図】図1
0003139893.tif 000002
【実用新案登録請求の範囲】
【請求項１】
基部と二つの側部を含み、該二つの側部が、それぞれ、該基部の対向する両側に設置され、該基部の先端に、当接部が設けられ、該当接部に、複数のグルーブが設けられる絶縁本体と、
該絶縁本体の上方に嵌設される金属ハウジングと、
該絶縁本体と該金属ハウジングとの間に位置し、中段に、複数の露出した金属導線が設けられ、それらの金属導線が、該当接部の対応するグルーブ内に設けられ、また、各金属導線は、両端に、それぞれ、接触部が形成され、折り返されて、該二つの接触部が、それぞれ、該当接部の対向する両側に設置されるようになるフレキシブルフラットケーブルとを備えることを特徴とする電気コネクタ。
【請求項２】
前記グルーブ同士の間に、複数の仕切板が形成されることを特徴とする請求項１に記載の電気コネクタ。
【請求項３】
前記グルーブは、該当接部の上面から、該当接部の先端を通して該当接部の底面まで延ばすことを特徴とする請求項１に記載の電気コネクタ。
【請求項４】
前記二つの側部は、先端に、それぞれ、案内部が突出され、前記二つの案内部の先端に、それぞれ、案内斜面が形成されることを特徴とする請求項１に記載の電気コネクタ。
【請求項５】
前記各側部に、係合部品が設置され、前記係合部品に、押圧部とロック部とが設けられ、該ロック部が、該押圧部の一端から伸ばして形成されることを特徴とする請求項１に記載の電気コネクタ。
【請求項６】
前記フレキシブルフラットケーブルは、第一段と第二段とを含み、前記第一段と前記第二段が、それぞれ、前記金属導線の両端に連接され、該フレキシブルフラットケーブルは、折り返されることにより、前記第一段と前記第二段を平行にし、それぞれ、該絶縁本体の基部の上下両側に設置され、また、前記第一段が、該絶縁本体の基部と該金属ハウジングとの間に挟み込まれることを特徴とする請求項１に記載の電気コネクタ。
【請求項７】
前記絶縁本体は、前記基部から伸ばして形成される第一部と前記第一部から伸ばした第二部及び前記第二部から伸ばした第三部を含み、前記グルーブが、前記第一部の表面に形成され、前記第一部が、前記基部の底面に向かって折り返されて前記当接部を形成することにより、前記第二部と前記第三部を前記基部の下方に位置するようになり、前記第二部の両側の近くに、それぞれ、係合部が設けられ、前記第二段を前記第二部と第三部の間に挟むように、前記第三部を前記第二部の方向へ向かって折り返り、また、前記二つの係合部に抵当することを特徴とする請求項６に記載の電気コネクタ。
【請求項８】
前記二つの側部の底端の近くにおいて、内側に、それぞれ、係止体が突設され、前記第一部が、前記基部の底面へ向かって折り返される時、前記第三部の両側が、前記二つの係止体に係止することを特徴とする請求項７に記載の電気コネクタ。
【請求項９】
前記フレキシブルフラットケーブルの外側に、抗電磁干渉ための遮蔽層が被覆されることを特徴とする請求項１に記載の電気コネクタ。
【請求項１０】
更に、もう一つの金属ハウジングを含み、前記もう一つの金属ハウジングが、該絶縁本体の下方に設置され、該金属ハウジングに連結されることを特徴とする請求項１に記載の電気コネクタ。
【考案の詳細な説明】
【技術分野】
【０００１】
本考案は、電気コネクタに関し、特に、フレキシブルフラットケーブルを結合して、該フレキシブルフラットケーブルの金属導線と連接器とが、当接することにより、電気的に接続される電気コネクタに関する。
【背景技術】
【０００２】
従来の電気コネクタは、絶縁本体と複数の端子及び複数のケーブルが備えられ、それらの端子は、間を置いて、該絶縁本体上に挿設され、それらのケーブルが、それらの端子の末端に溶接され、該電気コネクタが、当接連接器に当接され、該電気コネクタの端子と該当接連接器の端子との接触により、電気的に接続され、また、それらのケーブルを介して、信号の受送信を行う。
【０００３】
ただ、従来の電気コネクタは、次の問題点がある。
１、それらの端子は、１本ずつに、予めに該絶縁本体に設けられた端子槽に組み立てられることが必要であり、また、それぞれが、対応するケーブルに溶接され、そのため、電気コネクタの部材点数が多く、組立てが複雑になる。
２、それらの端子を作製するために、プレス金型が必要であり、製造コストが高くなる。
３、それらのケーブルと端子との溶接が、容易ではなく、時間が掛かるし、そのため、製品の不良率が高くなる。
【考案の開示】
【考案が解決しようとする課題】
【０００４】
本考案の主な目的は、絶縁本体が、フレキシブルフラットケーブルに結合され、フレキシブルフラットケーブルから露出した金属導線を、電気的に接続される媒介として、当接連接器と電気的に接続される電気コネクタを提供する。
【０００５】
本考案は、上記の目的を達成するため、基部と二つの側部があり、該二つの側部が、それぞれ、該基部の対向する両側に設置され、該基部の先端に、当接部が設けられ、該当接部に、複数のグルーブが設けられる絶縁本体と、該絶縁本体の上方に嵌設される金属ハウジングと、該絶縁本体と該金属ハウジングとの間に位置し、中段に、複数の露出した金属導線が設けられ、それらの金属導線が、該当接部に対応するグルーブ内に設けられ、また、各金属導線は、両端に、それぞれ、接触部が形成され、折り返されて、該二つの接触部が、それぞれ、該当接部の対向する両側に設置されるようになるフレキシブルフラットケーブルと、が備えられる電気コネクタである。
【課題を解決するための手段】
【０００６】
請求項１の考案は、基部と二つの側部を含み、該二つの側部が、それぞれ、該基部の対向する両側に設置され、該基部の先端に、当接部が設けられ、該当接部に、複数のグルーブが設けられる絶縁本体と、
該絶縁本体の上方に嵌設される金属ハウジングと、
該絶縁本体と該金属ハウジングとの間に位置し、中段に、複数の露出した金属導線が設けられ、それらの金属導線が、該当接部の対応するグルーブ内に設けられ、また、各金属導線は、両端に、それぞれ、接触部が形成され、折り返されて、該二つの接触部が、それぞれ、該当接部の対向する両側に設置されるようになるフレキシブルフラットケーブルとを備えることを特徴とする電気コネクタとしている。
請求項２の考案は、前記グルーブ同士の間に、複数の仕切板が形成されることを特徴とする請求項１に記載の電気コネクタとしている。
請求項３の考案は、前記グルーブは、該当接部の上面から、該当接部の先端を通して該当接部の底面まで延ばすことを特徴とする請求項１に記載の電気コネクタとしている。
請求項４の考案は、前記二つの側部は、先端に、それぞれ、案内部が突出され、前記二つの案内部の先端に、それぞれ、案内斜面が形成されることを特徴とする請求項１に記載の電気コネクタとしている。
請求項５の考案は、前記各側部に、係合部品が設置され、前記係合部品に、押圧部とロック部とが設けられ、該ロック部が、該押圧部の一端から伸ばして形成されることを特徴とする請求項１に記載の電気コネクタとしている。
請求項６の考案は、前記フレキシブルフラットケーブルは、第一段と第二段とを含み、前記第一段と前記第二段が、それぞれ、前記金属導線の両端に連接され、該フレキシブルフラットケーブルは、折り返されることにより、前記第一段と前記第二段を平行にし、それぞれ、該絶縁本体の基部の上下両側に設置され、また、前記第一段が、該絶縁本体の基部と該金属ハウジングとの間に挟み込まれることを特徴とする請求項１に記載の電気コネクタとしている。
請求項７の考案は、前記絶縁本体は、前記基部から伸ばして形成される第一部と前記第一部から伸ばした第二部及び前記第二部から伸ばした第三部を含み、前記グルーブが、前記第一部の表面に形成され、前記第一部が、前記基部の底面に向かって折り返されて前記当接部を形成することにより、前記第二部と前記第三部を前記基部の下方に位置するようになり、前記第二部の両側の近くに、それぞれ、係合部が設けられ、前記第二段を前記第二部と第三部の間に挟むように、前記第三部を前記第二部の方向へ向かって折り返り、また、前記二つの係合部に抵当することを特徴とする請求項６に記載の電気コネクタとしている。
請求項８の考案は、前記二つの側部の底端の近くにおいて、内側に、それぞれ、係止体が突設され、前記第一部が、前記基部の底面へ向かって折り返される時、前記第三部の両側が、前記二つの係止体に係止することを特徴とする請求項７に記載の電気コネクタとしている。
請求項９の考案は、前記フレキシブルフラットケーブルの外側に、抗電磁干渉ための遮蔽層が被覆されることを特徴とする請求項１に記載の電気コネクタとしている。
請求項１０の考案は、更に、もう一つの金属ハウジングを含み、前記もう一つの金属ハウジングが、該絶縁本体の下方に設置され、該金属ハウジングに連結されることを特徴とする請求項１に記載の電気コネクタとしている。
【考案の効果】
【０００７】
本考案は、従来の電気コネクタの端子の代りに、フレキシブルフラットケーブルの金属導線を利用するため、端子のコストを節約でき、また、溶接する工程を省略でき、また、フレキシブルフラットケーブルの加工が容易であるし、また、絶縁本体に組み立てることも簡単であるため、組立て時間の短縮ができ、製造の良率が向上される。
【考案を実施するための最良の形態】
【０００８】
図１乃至図４のように、本考案に係わる電気コネクタ１は、絶縁本体１０とフレキシブルフラットケーブル２０、第一金属ハウジング３０及び第二金属ハウジング４０が備えられる。
該絶縁本体１０は、プラスチックである絶縁材料からなり、基部１１と該基部１１の左右両側に設置された二つの側部１２とがあり、該基部１１の先端を折り畳むことにより、当接部１３が形成され（図３のように）、該当接部１３は、該二つの側部１２同士の間に位置し、また、複数のグルーブ１３１が設けられ、それらのグルーブ１３１は、該当接部１３の上面から、該当接部１３の先端を通して該当接部１３の底面まで延ばし、また、それらのグルーブ１３１同士の間に、複数の仕切板１３２が形成される。該基部１１の後端の近くに、複数の貫通穴１１１が貫設される。
【０００９】
該基部１１の上面と該二つの側部１２との間に、該フレキシブルフラットケーブル２０を収納するための収納空間１４が形成され、また、該収納空間１４が、それらの貫通穴１１１に連通する。
【００１０】
該二つの側部１２は、先端に、それぞれ、前方へ突出する案内部１２１があり、該二つの案内部１２１の先端に、それぞれ、案内斜面１２２が形成される。該二つの側部１２の底端の近くにおいて、内側に、それぞれ、係止体１２３が突出する(図２のように)。各側部１２は、二つの第一固定孔１２４と一つの第二固定孔１２５が設けられ、該第一固定孔１２４と第二固定孔１２５とが、該側部１２の上面と底面に貫通する。
【００１１】
該二つの側部１２は、それぞれ、一体に、係合部品１５が形成され、該係合部品１５は、延伸部１５１と押圧部１５２及びロック部１５３があり、該延伸部１５１の後端が、該側部１２の外側に連接され、該押圧部１５２が、該延伸部１５１の先端から前へ延ばして形成され、該ロック部１５３が、該押圧部１５２の一端から前へ延ばして形成され、該押圧部１５２に、該側部１２方向へ延ばす抵当部１５４が形成され、これにより、該係合部品１５が、適当なピッチを移動すると、該側部１２により行き止められ、該係合部品１５の過度変形を防止できる。
【００１２】
該フレキシブルフラットケーブル２０は、一つ以上の異なる厚さを有する領域があり、中段に、皮抜きにより、絶縁外皮を除去して露出する複数の金属導線２１があり、これにより、該フレキシブルフラットケーブル２０に、一つの第一段２２と一つの第二段２３が形成される。
【００１３】
それらの金属導線２１は、導電性を有する材料からなり、本実施例において、それらの金属導線２１が、錫鍍金線であり、各金属導線２１の両端に、それぞれ、接触部２１１が形成され、また、該金属導線２１の中段が折り返されて折り返し部２１２が形成され、該折り返し部２１２は、該二つの接触部２１１同士の間に連結される。該フレキシブルフラットケーブル２０が折り返されることにより、該二つの接触部２１１が、それぞれ、該絶縁本体１０の当接部１３の上下両側に設置され、該折り返し部２１２が、該当接部１３の先端に設置され、それらの金属導線２１が、該当接部１３に対応するグルーブ１３１内に設置される。
【００１４】
該第一段２２と該第二段２３が、それぞれ、それらの金属導線２１の両端に連接される。該フレキシブルフラットケーブル２０が折り返されることにより、該第一段２２と該第二段２３が平行になり、また、該第一段２２が、後へ向かって該絶縁本体１０の後端の外まで延ばす。該第一段２２と第二段２３が、それぞれ、該絶縁本体１０の基部１１の上下両側に設置される。
【００１５】
該フレキシブルフラットケーブル２０の第一段２２の外側に、更に、金属材料からなる遮蔽層が被覆されてもよく（図に未表示）、例えば、アルミ箔や銅箔等で、抗電磁干渉（ＥＭＩ）に供される。
【００１６】
該第一金属ハウジング３０は、プレス方式により作製され、天板３１と、該天板３１の両側から下へ湾曲されて形成された二つの側板３２があり、また、該天板３１から下へ延ばして形成された二つの第一固定部３１１と一つの第二固定部３１２が形成される。該側板３２は、複数の該側板３２の外側まで延ばしたあご３２１が設けられる。該第一、第二固定部３１１、３１２が、それぞれ、絶縁本体１０の上方から下へ挿設されて第一固定孔１２４、第二固定孔１２５に固定され、これにより、該第一金属ハウジング３０が、該絶縁本体１０の上方に嵌設され、また、該フレキシブルフラットケーブル２０の第一段２２が、該絶縁本体１０の基部１１と該第一金属ハウジング３０との間に挟まれる。
【００１７】
該第二金属ハウジング４０は、プレス方式により作製され、底板４１と該底板４１の両側から上へ湾曲されて形成された二つの側板４２とがある。また、該底板４１から下へ延ばして形成された二つの第一固定部４１１と一つの第二固定部４１２があり、該底板４１の後端の近くから上へ湾曲して延ばして形成される複数の弾条片４１３がある。
【００１８】
該側板４２は、第一金属ハウジング３０のあご３２１に対応する複数の係合穴４２１があり、該第一、第二固定部４１１、４１２は、それぞれ、絶縁本体１０の下方から上へ挿設されるように、第一、第二固定孔１２４、１２５に固定され、それらのあご３２１が、それらの係合穴４２１に係合されることにより、該第二金属ハウジング４０が、該絶縁本体１０の下方に実装され、そして、該第一金属ハウジング３０に連結される。該弾条片４１３が、該絶縁本体１０の貫通穴１１１を通して該フレキシブルフラットケーブル２０の第一段２２の底面に抵当し（図５のように）、これにより、該フレキシブルフラットケーブル２０がより安定的になる。
【００１９】
図４と図５を参照しながら、本考案に係わる電気コネクタ１は、当接連接器２に挿設され、該当接連接器２が、回路板１００上に設置され、該電気コネクタ１が、当接連接器２に挿設されることにより、該回路板１００が、該フレキシブルフラットケーブル２０に対して、信号の受送信を行える。
【００２０】
該当接連接器２は、絶縁本体５０と複数の端子６０及び遮蔽ハウジング７０が備えられ、該絶縁本体５０の先端に、該電気コネクタ１の当接部１３に対応する収納槽５１が形成され、該収納槽５１の上下両側の内壁に、それらの端子６０を収納するための複数の端子槽５２が形成され、それらの端子槽５２同士の間に、更に、複数の該電気コネクタ１の仕切板１３２に対応する障壁５３が形成される。
【００２１】
各端子６０は、基部６１と二つの接触部６２及び溶接部６３が備えられ（図５のように）、該基部６１は、該端子槽５２内に収納され、該二つの接触部６２は、該基部６１の先端から伸ばして形成され、また、上下対向するように設置され、該接触部６２は、該収納槽５１内へ延ばして、電気コネクタ１の接触部２１１と接触して、電気的に接続される。該溶接部６３は、該絶縁本体５０の外まで延ばして、該回路板１００上に溶接されることにより、該回路板１００と電気的に接続される。
【００２２】
該遮蔽ハウジング７０は、金属材料からなり、該絶縁本体５０の外側に被覆されるように、抗電磁干渉ができる。
本考案に係わる電気コネクタ１は、該当接連接器２に挿設されると、該二つの案内部１２１によって案内され、正確的に該当接連接器２に案内される。
該電気コネクタ１は、フレキシブルフラットケーブル２０の接触部２１１で、該当接連接器２の端子６０の接触部６２に接触することにより（図６のように）、電気的に接続される。該端子６０の二つの接触部６２は、上下に対向するように設置されることにより、該当接部１３の両側に設置された接触部２１１の受力が比較的に均一になる。該金属導線２１は、グルーブ１３１によって制限されることにより、所定のピッチを維持し、これにより、金属導線２１が、確実的に、端子６０に当接でき、ずれることがない。
【００２３】
また、該仕切板１３２が、該障壁５３に互いに抵当し合うため、グルーブ１３１と端子槽５２とにより、閉鎖空間が形成され、これにより、該金属導線２１に、金属ひげが生成しても、該金属ひげが、隣接する金属導線２１まで跨ることができず、これにより、電気コネクタ１が、当接連接器２に挿設される時、短絡や回路板１００焼損を防止できる。
【００２４】
また、該係合部品１５のロック部１５３が、該遮蔽ハウジング７０の該絶縁本体５０の内部に位置する係合孔に係合され（図に未表示）、これにより、該電気コネクタ１と該当接連接器２とが、安定的に連接され、また、該電気コネクタ１と該当接連接器２とを分離する時、該ロック部１５３が、該係合孔から脱離するまで、該係合部品１５の押圧部１５２を押圧すればよい。
【００２５】
図７と図８のように、該絶縁本体１０は、組み立てられる前、展開状になり、一つの第一部１６と一つの第二部１７及び一つの第三部１８があり、該第一部１６は、該基部１１から前へ延ばして形成され、該第一部１６の底面に、更に、水平に延ばす凹槽１９が形成され、これにより、該第一部１６が、容易に折り返され、それらのグルーブ１３１が、該第一部１６の上面に形成される。該第二部１７が、該第一部１６から前へ延ばして形成され、該第二部１７の両側の近くに、それぞれ、係合部１７１が設けられ、該第二部１７の先端の中央に、該フレキシブルフラットケーブル２０の第二段２３を収納するための凹み部１７２が設けられる。該第三部１８は、該第二部１７から前へ延ばして形成され、厚さが、該第二部１７よりやや薄くて、また、該第三部１８は、該フレキシブルフラットケーブル２０の第二段２３に合わせて、該フレキシブルフラットケーブル２０に対応する異なる厚さを有するセクタが設けられる。
【００２６】
図９のように、組み立てる時、まず、該フレキシブルフラットケーブル２０を展開状にして、また、該第一段２２と第二段２３を、それぞれ、該収納空間１４に収納し、該第二部１７の凹み部１７２内に位置するように（図７のように）、それらの金属導線２１が、それらのグルーブ１３１内に設置され、これにより、それらの金属導線２１が、それらの仕切板１３２により隔離されて、所定のピッチを維持し、金属導線２１（例えば、錫鍍金線）に金属ひげ（例えば、錫ひげ）が生成することにより、隣接する金属導線２１が短絡になることを防止できる。
【００２７】
図１０のように、該絶縁本体１０の第三部１８が、上へそして、後へ、該第二部１７の上面に向かって折り返され、また、該第三部１８の両側が、該第二部１７の二つの係合部１７１に係止し、これにより、該フレキシブルフラットケーブル２０の第二段２３が、該第二部１７と該第三部１８の間に挟まれるようになる。その後、第一金属ハウジング３０を、該絶縁本体１０に結合して、該フレキシブルフラットケーブル２０の第一段２２が、該第一金属ハウジング３０と該絶縁本体１０との間に位置付けられ、これにより、該フレキシブルフラットケーブル２０の第一段２２、第二段２３が、ともに固定される。
【００２８】
図１１と図１２のように、更に、該第一部１６が、下へ、そして、後へ、該基部１１の底面に向かって折り返されて、該当接部１３が形成され、これにより、該第二部１７と該第三部１８が、該絶縁本体１０の基部１１の下方に位置するようになり（図３のように）、また、該第三部１８の両側が、該二つの係止体１２３に係止する。また、該フレキシブルフラットケーブル２０が折り返され、これにより、金属導線２１の接触部２１１が、それぞれ、該当接部１３の上下側に位置するようになる。
図１３のように、最後に、該絶縁本体１０の底端に実装された該第一金属ハウジング３０に係合することにより、本考案に係わる電気コネクタ１が形成される。
【００２９】
上記のように、本考案に係わる電気コネクタによれば、次のような利点が得られる。
１、本考案は、従来の電気コネクタの端子の代わりに、フレキシブルフラットケーブル２０の金属導線２１を使用するため、組立ての部材の数を低減でき、また、溶接を要らず、工程の簡素化が実現される。
２、端子を作製することなく、作製コストを節約できる。
３、フレキシブルフラットケーブル２０の加工が容易であり、また、絶縁本体１０の折り畳み可能の特性を利用することにより、フレキシブルフラットケーブル２０を絶縁本体１０に結合することがより容易になり、また、金属導線２１が、当接部１３の両側に設置されるため、組立ての時間を短縮でき、良率が向上される。
４、それらの金属導線は、それぞれ、対応するグルーブ１３１内に設置されるため、金属導線２１が、それぞれ、正確的に、該当接部１３に位置付けられ、所定のピッチ（PITCH）を維持できる。
【図面の簡単な説明】
【００３０】
【図１】本考案の立体分解図である。
【図２】本考案のもう一つの角度の立体分解図である。
【図３】本考案の絶縁本体とフレキシブルフラットケーブルを結合する時の断面図である。
【図４】本考案に係わる電気コネクタと当接連接器の立体組立て図である。
【図５】本考案に係わる電気コネクタが当接連接器に挿設される時の断面図である。
【図６】図５のＡ部≡の拡大図である。
【図７】本考案の絶縁本体を展開する時の立体図である。
【図８】本考案の絶縁本体を展開する時のもう一つの角度の立体図である。
【図９】本考案の絶縁本体の上方にフレキシブルフラットケーブルを設置する時の立体概略図である。
【図１０】本考案の絶縁本体の第三部が折り返される時の立体概略図である。
【図１１】本考案の絶縁本体の第一部が折り返される時の立体概略図である。
【図１２】本考案の絶縁本体の第一部が折り返される時のもう一つの角度の立体概略図である。
【図１３】本考案の絶縁本体に第二金属ハウジングが実装される時の立体概略図である。
【符号の説明】
【００３１】
１      電気コネクタ
１０    絶縁本体
１００  回路板
１１    基部
１１１  貫通穴
１２    側部
１２１  案内部
１２２  案内斜面
１２３  係止体
１２４  第一固定孔
１２５  第二固定孔
１３    当接部
１３１  グルーブ
１３２  仕切板
１４    収納空間
１５    係合部品
１５１  延伸部
１５２  押圧部
１５３  ロック部
１５４  抵当部
１６    第一部
１７    第二部
１７１  係合部
１７２  凹み部
１８    第三部
１９    凹槽
２      当接連接器
２０    フレキシブルフラットケーブル
２１    金属導線
２１１  接触部
２１２  折り返し部
２２    第一段
２３    第二段
３０    第一金属ハウジング
３１    天板
３１１  第一固定部
３１２  第二固定部
３２    側板
３２１  あご
４０    第二金属ハウジング
４１    底板
４１１  第一固定部
４１２  第二固定部
４１３  弾条片
４２    側板
４２１  係合穴
５０    絶縁本体
５１    収納槽
５２    端子槽
５３    障壁
６０    端子
６１    基部
６２    接触部
６３    溶接部
７０    遮蔽ハウジング
【図１】
0003139893.tif 000003
【図２】
0003139893.tif 000004
【図３】
0003139893.tif 000005
【図４】
0003139893.tif 000006
【図５】
0003139893.tif 000007
【図６】
0003139893.tif 000008
【図７】
0003139893.tif 000009
【図８】
0003139893.tif 000010
【図９】
0003139893.tif 000011
【図１０】
0003139893.tif 000012
【図１１】
0003139893.tif 000013
【図１２】
0003139893.tif 000014
【図１３】
0003139893.tif 000015